(57)【要約】      （修正有）【課題】疾患の罹患者数を推定するための方法を提供する。【解決手段】情報処理装置は、対象疾患に対して使用される薬剤の販売量を取得し、取得した薬剤の販売量と、対象疾患に対する薬剤の使用比率を示す第１係数と、薬剤の使用量を使用日数に変換するための第２係数と、使用日数を使用人数に変換するための第３係数とに基き、対象疾患に対する薬剤の使用人数を算出し、対象疾患の使用人数に変換係数を掛けて、対象疾患の罹患者数を推定する。【選択図】図３
2018092490.tif 000002
【特許請求の範囲】
【請求項１】
対象疾患の罹患者数を推定するための情報処理装置であって、
対象疾患に対して使用される薬剤の販売量を取得する取得手段と、
前記薬剤が前記対象疾患に対して使用される比率を示す第１係数と、
薬剤の使用量を使用日数に変換するための第２係数と、
使用日数を使用人数に変換するための第３係数と、
を用いて前記販売量から罹患者数を推定する推定手段と、を備えることを特徴とする情報処理装置。
【請求項２】
前記推定手段は、前記対象疾患に対して複数の薬剤が使用可能な場合に、前記複数の薬剤を重複して使用する人数を補正するための第４係数をさらに用いて前記販売量から罹患者数を推定することを特徴とする請求項１に記載の情報処理装置。
【請求項３】
前記推定手段は、前記対象疾患に対して薬剤を使用する人数を前記対象疾患の罹患人数に変換するための第５係数をさらに用いて前記販売量から罹患者数を推定することを特徴とする請求項１に記載の情報処理装置。
【請求項４】
対象疾患の罹患者数を推定する方法であって、
取得手段が、対象疾患に対して使用される薬剤の販売量を取得する工程と、
推定手段が、
前記薬剤が前記対象疾患に対して使用される比率を示す第１係数と、
薬剤の使用量を使用日数に変換するための第２係数と、
使用日数を使用人数に変換するための第３係数と、
を用いて前記販売量から罹患者数を推定する工程と、を有することを特徴とする方法。
【請求項５】
請求項１乃至３の何れか１項に記載の情報処理装置の各手段としてコンピュータを機能させるためのプログラム。
【発明の詳細な説明】
【技術分野】
【０００１】
本発明は、情報処理装置、推定方法及びプログラムに関する。
【背景技術】
【０００２】
医療機関は、患者が受けた保険診療について、医療報酬を保険者に請求するためのレセプト（明細書）を発行する。特許文献１には、レセプトのデータを用いて地域ごとの医療費を推定する技術が記載されている。
【先行技術文献】
【特許文献】
【０００３】
【特許文献１】特開２０１０−２３１６５２号公報
【発明の概要】
【発明が解決しようとする課題】
【０００４】
製薬会社が薬剤を開発するための重要な指標の１つとして、疾患の罹患者数がある。レセプトには患者の疾患名が記載されているので、レセプトのデータを用いて罹患者数を推定可能である。しかし、個人情報を含むので、第三者が全てのレセプトのデータを入手することは困難である。本発明は、疾患の罹患者数を推定するため新たな方法を提供することを目的とする。
【課題を解決するための手段】
【０００５】
上記課題に鑑みて、一部の実施形態では、対象疾患の罹患者数を推定するための情報処理装置であって、対象疾患に対して使用される薬剤の販売量を取得する取得手段と、前記薬剤が前記対象疾患に対して使用される比率を示す第１係数と、薬剤の使用量を使用日数に変換するための第２係数と、使用日数を使用人数に変換するための第３係数と、を用いて前記販売量から罹患者数を推定する推定手段と、を備えることを特徴とする情報処理装置が提供される。
【発明の効果】
【０００６】
上記手段により、疾患の罹患者数を推定するため新たな方法が提供される。
【図面の簡単な説明】
【０００７】
【図１】本発明の一部の実施形態に係る情報処理装置の構成例を説明するブロック図。
【図２】図１の情報処理装置が記憶するファイルの例を説明する図。
【図３】図１の情報処理装置の動作例を説明するフローチャート。
【発明を実施するための形態】
【０００８】
添付の図面を参照して本発明の実施形態について以下に説明する。様々な実施形態を通じて同様の要素には同一の参照符号を付して重複する説明を省略する。また、各実施形態は適宜変更、組み合わせが可能である。以下の説明において、対象疾患の罹患者とは、対象疾患を罹患している人のことであり、病院等での治療の有無や、治療のための薬剤の摂取の有無を問わない。また、患者とは、罹患者のうち実際に病院等で治療を受けている（薬剤を摂取している）人のことである。
【０００９】
図１のブロック図を参照して、本発明の一部の実施形態に係る情報処理装置１００の構成について説明する。情報処理装置１００は、対象疾患の罹患者数を推定する処理を行う。情報処理装置１００は、例えばパーソナルコンピュータやワークステーション、スマートフォン、タブレットデバイスなどの情報処理装置で実現される。情報処理装置１００は、単体の装置で実現されてもよいし、ネットワークを介して相互に接続された複数の装置で実現されてもよい。情報処理装置１００は、図１に示す各構成要素を有する。
【００１０】
ＣＰＵ１０１は、情報処理装置１００全体の動作を制御する。メモリ１０２は、情報処理装置１００の動作に用いられるプログラムや一時データなどを記憶する。メモリ１０２は、例えばＲＯＭやＲＡＭなどにより実現される。入力部１０３は、情報処理装置１００のユーザが情報処理装置１００への入力を行うために用いられ、例えばマウスやキーボードなどの入力装置で実現される。表示部１０４は、情報処理装置１００のユーザが情報処理装置１００からの出力を確認するために用いられ、例えばディスプレイなどの出力装置で実現される。通信部１０５は、情報処理装置１００が他の装置と通信する機能を提供し、例えばネットワークカードなどで実現される。他の装置との通信は有線であってもよいし、無線であってもよい。
【００１１】
取得部１０６は、対象疾患に対して使用される薬剤の販売量を取得する。推定部１０７は、取得部１０６によって取得された販売量から、対象疾患の罹患者数を推定する。取得部１０６及び推定部１０７の動作の詳細については後述する。取得部１０６及び推定部１０７は、電子回路のようなハードウェアで実現されてもよいし、プログラムのようなソフトウェアで実現されてもよい。ソフトウェアで構成される場合に、これらの構成要素の機能を規定するプログラムがメモリ１０２に読み出され、このプログラムに従ってＣＰＵ１０１が動作することによって処理が行われる。
【００１２】
記憶部１０８は、情報処理装置１００の動作に用いられるデータ、例えば販売情報ファイル１０９及び係数情報ファイル１１０を記憶する。記憶部１０８は、ディスクドライブ（例えば、ＨＤＤやＳＤＤ）などの記憶装置で実現される。本実施形態で、薬剤情報及び疾患情報は情報処理装置１００に記憶される。これに代えて、これらのデータの一部又は全部が情報処理装置１００とは異なる装置（外部記憶装置）に記憶されてもよい。この場合に、情報処理装置１００の取得部１０６は、通信部１０５を用いて、他の装置から販売情報及び係数情報を受信する。また、これらのデータはファイル形式で記憶されるのではなく、データベースや他の形式で記憶されてもよい。
【００１３】
続いて、図２を参照して、販売情報ファイル１０９に格納される販売情報と、係数情報ファイル１１０に格納される係数情報との具体例について説明する。販売情報ファイル１０９は、図２に示す項目を有しうる。列２０１は、薬剤の名称を示す。販売情報ファイル１０９には、薬剤名ごとにエントリが生成される。そのため、各エントリの薬剤名は販売情報ファイル１０９を通じて一意である。薬剤名は、製品名であってもよいし、識別コードであってもよい。列２０２は、特定の期間（例えば、２０１５年全体）における各薬剤の販売量を示す。図２では、錠数単位で販売量を示しているが、販売量はグラム数など他の単位で示されてもよい。図２では、１つの期間についてのみ販売量を示しているが、薬剤情報は複数の期間（例えば、２０１５年の１月から１２月までの１２個の期間）のそれぞれについての販売量を含んでもよい。販売情報ファイル１０９は、例えば情報処理装置１００のユーザによって生成され、記憶部１０８に記憶される。
【００１４】
係数情報ファイル１１０は、図２に示す項目を有しうる。列２１１は、疾患の名称を示す。係数情報ファイル１１０には、疾患名ごとにエントリが生成される。そのため、各エントリの疾患名は係数情報ファイル１１０を通じて一意である。疾患名は、具体的な名称であってもよいし、識別コードであってもよい。列２１２は、各疾患に対して有効な薬剤（すなわち、医師等によって処方され、患者によって使用される可能性のある薬剤）の名称を示す。係数情報ファイル１１０の列２１２に含まれる薬剤名は、販売情報ファイル１０９の列２０１に含まれる薬剤名に対応する。列２１３〜列２１７は、罹患者数の推定処理に用いられる係数α１〜α３、β１〜β２を示す。これらの係数の意味については後述する。係数情報ファイル１１０は、例えば情報処理装置１００のユーザによって生成され、記憶部１０８に記憶される。
【００１５】
続いて、図３を参照して、図１の情報処理装置１００の動作例について説明する。この動作を開始する前に、情報処理装置１００の記憶部１０８に販売情報ファイル１０９及び係数情報ファイル１１０が記憶されているとする。図３のフローチャートの動作は、例えば情報処理装置１００のユーザが入力部１０３を用いて情報処理装置１００に指示することによって開始される。
【００１６】
ステップＳ３０１で、取得部１０６は、罹患者数を推定する対象疾患を特定する。対象疾患は、情報処理装置１００のユーザが入力部１０３を用いて選択した疾患を対象疾患として特定してもよい。これに代えて、取得部１０６は、係数情報ファイル１１０に含まれる各エントリを順に対象疾患として特定してもよい。
【００１７】
ステップＳ３０２で、取得部１０６は、係数情報ファイル１１０を参照して、対象疾患に対する有効薬剤を特定する。例えば、対象疾患が疾患Ａである場合に、有効薬剤として薬剤Ａと薬剤Ｂとが特定される。
【００１８】
ステップＳ３０３で、取得部１０６は、販売情報ファイル１０９を参照して、各有効薬剤の販売量を取得する。販売情報ファイル１０９が複数の期間の販売量を含む場合に、取得部１０６は、罹患者数を推定したい期間の販売量を取得する。販売情報ファイル１０９が１つの期間の販売量のみを含む場合に、その期間が罹患者数の推定対象の期間となる。
【００１９】
ステップＳ３０４で、推定部１０７は、係数情報ファイル１１０に格納された係数α１〜係数α３を用いて、各有効薬剤の販売量から各有効薬剤の使用人数を推定する。係数α１は、薬剤が対象疾患に対して使用される比率を示す係数である。図２に示すように、薬剤Ａは、疾患Ａと疾患Ｃとの両方に対する有効薬剤であり、０．８の比率で疾患Ａに対して使用され、０．２の比率で疾患Ｂに対して使用される。そのため、薬剤Ａの販売量に０．８を乗じた値が疾患Ａに対して使用された販売量であると推定される。推定部１０７は、疾患Ａに対する薬剤Ａの販売量を、疾患Ａに対する薬剤Ａの使用量と推定する。このかわりに、情報処理装置１００のユーザ等が薬剤Ａの廃棄比率を事前に調査し、推定部１０７が廃棄比率を用いて販売量から使用量を推定する処理を行ってもよい。
【００２０】
係数α２は、薬剤の使用量を使用日数に変換するための係数である。例えば、疾患Ａの治療のために、薬剤Ａが１日あたり２錠使用されるとする。この場合、２錠の逆数（すなわち、０．５）を薬剤Ａの使用量に乗ずることによって薬剤の使用日数を推定できる。したがって、係数α２の値は０．５となる。
【００２１】
係数α３は、使用日数を使用人数に変換するための係数である。例えば、疾患Ａの治療のために、薬剤Ａが１回の処方で５日間使用されるとする。この場合、推定部１０７は、５日の逆数（すなわち、０．２）を薬剤の使用日数に乗ずることによって薬剤の使用人数を推定できる。したがって、係数α３の値は０．２となる。
【００２２】
以上をまとめると、推定部１０７は、以下の式に従って、薬剤Ａの販売量から、疾患Ａに対して薬剤Ａを使用している人数を推定できる。
【００２３】
（疾患Ａに対して薬剤Ａを使用している人数）＝（薬剤Ａの販売量）×α１×α２×α３
ただし、α１、α２、α３は、疾患Ａと薬剤Ａとの組み合わせに対応する値である。同様に、推定部１０７は、以下の式に従って、薬剤Ｂの販売量から、疾患Ａに対して薬剤Ｂを使用している人数を推定できる。
【００２４】
（疾患Ａに対して薬剤Ｂを使用している人数）＝（薬剤Ｂの販売量）×α１×α２×α３
ただし、α１、α２、α３は、疾患Ａと薬剤Ｂとの組み合わせに対応する値である。
【００２５】
ステップＳ３０５で、推定部１０７は、係数情報ファイル１１０に格納された係数β１〜係数β２を用いて、対象疾患の罹患者数を推定する。ステップＳ３０４で、疾患Ａに対する薬剤Ａの使用人数と疾患Ａに対する薬剤Ｂの使用人数が推定されたので、これらの和が疾患Ａの患者数（薬剤Ａと薬剤Ｂとの少なくとも一方を使用している人数）を表す。しかし、１人の患者が薬剤Ａと薬剤Ｂとの両方を使用する場合もあるので、この和は実際の患者数よりも多い。そこで、推定部１０７は、対象疾患に対して複数の薬剤が使用可能な場合に、複数の薬剤を重複して使用する人数を補正するための係数β１をこの和に乗じる。これによって、推定部１０７は、対象疾患の患者数を推定できる。さらに、対象疾患の罹患者のうち、実際に治療を受け、薬剤を使用しているのはその一部である。そこで、推定部１０７は、上記で得られた患者数に対して、対象疾患に対して薬剤を使用する人数を対象疾患の罹患人数に変換するための係数β２を乗じることによって、対象疾患の罹患者数を推定する。
【００２６】
以上をまとめると、推定部１０７は、以下の式に従って、薬剤Ａの販売量から、疾患Ａの罹患者数を推定できる。
【００２７】
（疾患Ａの罹患者数）＝（疾患Ａに対して薬剤を使用している人数）×β１×β２
ただし、β１、β２は、疾患Ａに対応する値である。
【００２８】
上述の係数α１〜α３、β１〜β２は、例えば医師等へのアンケート調査によって得られたデータや、匿名化されたレセプトデータ、ＤＰＣデータなどから統計的に決定可能である。
【００２９】
ステップＳ３０６で、推定部１０７は、推定された罹患者数を出力する。例えば、推定部１０７は、表示部１０４に罹患者数を表示してもよいし、通信部１０５を通じて他の装置に罹患者数を送信してもよいし、記憶部１０８に罹患者数を記憶してもよい。
【００３０】
以上のように、本実施形態によれば、薬剤の売り上げデータに基づいて対象疾患の罹患者数を推定できる。
【符号の説明】
【００３１】
１００  情報処理システム、１０８  販売情報ファイル、１０９  係数情報ファイル
【図１】
2018092490.tif 000003
【図２】
2018092490.tif 000004
【図３】
2018092490.tif 000005
【手続補正書】
【提出日】平成29年9月5日(2017.9.5)
【手続補正１】
【補正対象書類名】特許請求の範囲
【補正対象項目名】全文
【補正方法】変更
【補正の内容】
【特許請求の範囲】
【請求項１】
対象疾患の罹患者数を推定するための情報処理装置であって、
プロセッサと、
命令を記憶するメモリと、を備え、
前記命令は、前記プロセッサによって実行された場合に、前記プロセッサに、
対象疾患に対して使用される薬剤の販売量を記憶装置から取得することと、
前記薬剤が前記対象疾患に対して使用される比率を示す第１係数と、
薬剤の使用量を使用日数に変換するための第２係数と、
使用日数を使用人数に変換するための第３係数と、
を用いて前記販売量から罹患者数を推定することと、
を実行させることを特徴とする情報処理装置。
【請求項２】
前記命令は、前記対象疾患に対して複数の薬剤が使用可能な場合に、前記複数の薬剤を重複して使用する人数を補正するための第４係数をさらに用いて前記販売量から罹患者数を推定することをさらに実行させることを特徴とする請求項１に記載の情報処理装置。
【請求項３】
前記命令は、前記対象疾患に対して薬剤を使用する人数を前記対象疾患の罹患人数に変換するための第５係数をさらに用いて前記販売量から罹患者数を推定することをさらに実行させることを特徴とする請求項１に記載の情報処理装置。
【請求項４】
対象疾患の罹患者数を推定する方法であって、
プロセッサが、対象疾患に対して使用される薬剤の販売量を記憶装置から取得する工程と、
前記プロセッサが、
前記薬剤が前記対象疾患に対して使用される比率を示す第１係数と、
薬剤の使用量を使用日数に変換するための第２係数と、
使用日数を使用人数に変換するための第３係数と、
を用いて前記販売量から罹患者数を推定する工程と、を有することを特徴とする方法。
【請求項５】
対象疾患の罹患者数を推定するためのプログラムであって、
プロセッサによって実行された場合に、前記プロセッサに、
対象疾患に対して使用される薬剤の販売量を記憶装置から取得することと、
前記薬剤が前記対象疾患に対して使用される比率を示す第１係数と、
薬剤の使用量を使用日数に変換するための第２係数と、
使用日数を使用人数に変換するための第３係数と、
を用いて前記販売量から罹患者数を推定することと、
を実行させる命令を含むことを特徴とするプログラム。
【手続補正２】
【補正対象書類名】明細書
【補正対象項目名】０００５
【補正方法】変更
【補正の内容】
【０００５】
上記課題に鑑みて、一部の実施形態では、対象疾患の罹患者数を推定するための情報処理装置であって、プロセッサと、命令を記憶するメモリと、を備え、前記命令は、前記プロセッサによって実行された場合に、対象疾患に対して使用される薬剤の販売量を記憶装置から取得することと、前記薬剤が前記対象疾患に対して使用される比率を示す第１係数と、薬剤の使用量を使用日数に変換するための第２係数と、使用日数を使用人数に変換するための第３係数と、を用いて前記販売量から罹患者数を推定することと、を実行させることを特徴とする情報処理装置が提供される。
【手続補正書】
【提出日】平成30年1月15日(2018.1.15)
【手続補正１】
【補正対象書類名】特許請求の範囲
【補正対象項目名】全文
【補正方法】変更
【補正の内容】
【特許請求の範囲】
【請求項１】
対象疾患の罹患者数を推定するための情報処理装置であって、
プロセッサと、
命令を記憶するメモリと、を備え、
前記命令は、前記プロセッサによって実行された場合に、前記プロセッサに、
対象疾患に対して使用される薬剤の販売量を記憶装置から取得することと、
前記薬剤が前記対象疾患に対して使用される比率を示す第１係数と、
薬剤の使用量を使用日数に変換するための第２係数と、
使用日数を使用人数に変換するための第３係数と、
前記対象疾患に対して薬剤を使用する人数を前記対象疾患の罹患者数に変換するための第５係数と、
を前記販売量に乗算することによって罹患者数を推定することと、
を実行させることを特徴とする情報処理装置。
【請求項２】
前記命令は、前記対象疾患に対して複数の薬剤が使用可能な場合に、前記複数の薬剤を重複して使用する人数を補正するための第４係数を、前記複数の薬剤のそれぞれについて推定された罹患者数の和に乗算することによって前記対象疾患の罹患者数を推定することをさらに実行させることを特徴とする請求項１に記載の情報処理装置。
【請求項３】
対象疾患の罹患者数を推定する方法であって、
プロセッサが、対象疾患に対して使用される薬剤の販売量を記憶装置から取得する工程と、
前記プロセッサが、
前記薬剤が前記対象疾患に対して使用される比率を示す第１係数と、
薬剤の使用量を使用日数に変換するための第２係数と、
使用日数を使用人数に変換するための第３係数と、
前記対象疾患に対して薬剤を使用する人数を前記対象疾患の罹患者数に変換するための第５係数と、
を前記販売量に乗算することによって罹患者数を推定する工程と、を有することを特徴とする方法。
【請求項４】
対象疾患の罹患者数を推定するためのプログラムであって、
プロセッサによって実行された場合に、前記プロセッサに、
対象疾患に対して使用される薬剤の販売量を記憶装置から取得することと、
前記薬剤が前記対象疾患に対して使用される比率を示す第１係数と、
薬剤の使用量を使用日数に変換するための第２係数と、
使用日数を使用人数に変換するための第３係数と、
前記対象疾患に対して薬剤を使用する人数を前記対象疾患の罹患者数に変換するための第５係数と、
を前記販売量に乗算することによって罹患者数を推定することと、
を実行させる命令を含むことを特徴とするプログラム。
【手続補正２】
【補正対象書類名】明細書
【補正対象項目名】０００５
【補正方法】変更
【補正の内容】
【０００５】
上記課題に鑑みて、一部の実施形態では、対象疾患の罹患者数を推定するための情報処理装置であって、プロセッサと、命令を記憶するメモリと、を備え、前記命令は、前記プロセッサによって実行された場合に、対象疾患に対して使用される薬剤の販売量を記憶装置から取得することと、前記薬剤が前記対象疾患に対して使用される比率を示す第１係数と、薬剤の使用量を使用日数に変換するための第２係数と、使用日数を使用人数に変換するための第３係数と、前記対象疾患に対して薬剤を使用する人数を前記対象疾患の罹患者数に変換するための第５係数と、を前記販売量に乗算することによって罹患者数を推定することと、を実行させることを特徴とする情報処理装置が提供される。